(57)【特許請求の範囲】
【請求項１】
シート材に画像を形成する画像形成装置本体に着脱自在な給紙装置であって、
前記画像形成装置本体に装着される際に、前記画像形成装置本体に設けられた扉を押圧して閉状態にするための押圧手段を備え、
前記押圧手段が、前記給紙装置側から前記画像形成装置本体側に向かい、かつ、下方から上方に向かう面部を有し、
前記給紙装置を前記画像形成装置本体に装着する際に、前記扉が、前記面部を摺動して閉状態となる
ことを特徴とする給紙装置。
【請求項２】
前記給紙装置に格納された前記シート材を前記画像形成装置本体に導くための、固定支持された上方ガイドと、回動自在に支持された下方ガイドとからなるガイド手段を備え、
前記給紙装置が前記画像形成装置本体に装着されている場合は、
前記下方ガイドが回動し、前記上方ガイドに接近することにより前記ガイド手段が通紙状態になり、
前記給紙装置が前記画像形成装置本体から脱着されている場合は、
前記下方ガイドが回動し、前記上方ガイドから離れることにより前記ガイド手段が開放状態になることを特徴とする請求項１に記載の給紙装置。
【請求項３】
前記押圧手段が、前記下方ガイドに設けられていることを特徴とする請求項２に記載の給紙装置。
【請求項４】
前記給紙装置を前記画像形成装置本体に装着する際に、
前記ガイド手段を構成する前記下方ガイドに前記扉が当接することにより、前記下方ガイドが回動し、該下方ガイドが前記上方ガイドに接近することにより前記ガイド手段が通紙状態になることを特徴とする請求項３に記載の給紙装置。
【請求項５】
前記扉が、
前記画像形成装置本体の側面に形成されている軸であって、前記画像形成装置本体に対する前記給紙装置の着脱方向に略垂直な方向、かつ、水平方向に略平行な方向の軸を中心
に回動することにより開閉を行うことを特徴とする請求項１から請求項４のいずれか１項に記載の給紙装置。
【請求項６】
前記押圧手段が押圧する前記扉が、
前記閉状態となっている際に、
前記画像形成装置本体に設けられた給紙手段から給紙されるシート材を搬送するための搬送路の少なくとも一部を形成していることを特徴とする請求項１から請求項５のいずれか１項に記載の給紙装置。
【請求項７】
上記請求項１から請求項６のいずれか１項に記載の給紙装置から給紙されたシート材に画像を形成する画像形成手段を備えることを特徴とする画像形成装置。
【発明の詳細な説明】
【０００１】
【発明の属する技術分野】
本発明は、複写機、プリンタ又はファックス等の画像形成装置における給紙装置及びこのような給紙装置が装着される画像形成装置に関し、特に好適には、画像形成装置本体に対してオプション設置可能な大容量シート収納装置としての給紙装置及びこのような給紙装置が装着される画像形成装置に関する。
【０００２】
【従来の技術】
近年、複写機、プリンタ又はファックス等の画像形成装置においては、設置スペースの削減を図るために、装置の小型化が望まれている。
【０００３】
一方、装置の高速化に伴い、大容量の画像を短時間の内に出力可能になった昨今、シート補給の煩わしさを除くためにシート収納装置等の給紙装置の大容量化も望まれてきている。
【０００４】
よって、多様化するユーザーニーズを満足させるためには、小型化された画像形成装置本体に対して、大容量の給紙装置をオプション設置可能な商品構成にしておくことが好ましい。
【０００５】
上記従来の給紙装置の一例について図１０を参照して説明する。図１０に、従来の給紙装置としての大容量シート収納装置が装着された画像形成装置の断面図を示す。
【０００６】
図１０に示すように、市場でオプション設置される大容量シート収納装置としては、画像形成装置本体１のサイドに設置されるサイドデッキ２が従来よりよく知られている。
【０００７】
図１０において、サイドデッキ２の収納庫８ｅは図中手前方向に引き出し可能な構成となっている。
【０００８】
よって、シートＳの補給や、収納庫８ｅ内でジャムしたシートＳの処理は、収納庫８ｅを装置手前側に引き出すことにより容易に行え、処理後は収納庫８ｅを元の位置まで押し込むことにより通紙状態に容易に復帰させることができる。
【０００９】
ここで、図１１を参照して、図１０に示される画像形成装置からサイドデッキ２を引き出した場合について説明する。図１１に、サイドデッキを引き出した場合の図１０に示される画像形成装置の断面図を示す。
【００１０】
図１１に示すように、サイドデッキ２は画像形成装置本体１に対して水平方向にスライド可能な構成となっている。
【００１１】
スライド時は、サイドデッキ２の最下流の下ガイド２０先端に設けられた摺動コロ２２と画像形成装置壁面３０ａとの当接が外れるため、下ガイド２０が自重で回動し、下ガイド２０及び上ガイド２１により構成されるガイド対の下流側が自動開放される。
【００１２】
よって、収納庫８ｅから画像形成装置本体１に到る間のパスでジャムしたシートＳの処理は、サイドデッキ２をスライドさせることによりガイド対の開放口から容易に行え、処理後はサイドデッキ２を元の位置までスライドさせることにより、前述した摺動コロ２２が画像形成装置壁面３０ａに再び当接し、下ガイド２０がその自重に抗して通紙状態（図１０の状態）に持ち上り、通紙状態に容易に復帰させることができる。
【００１３】
更に、図１０、図１１に示すように、サイドデッキ２が装着される画像形成装置本体１の側面には開閉可能な扉３０が設けられている。
【００１４】
扉３０には、画像形成装置本体１内のカセット８ａ〜８ｄから給紙されたシートＳを画像形成部に搬送するための給紙パス３０ｄと、サイドデッキ２から給紙されたシートＳを画像形成装置本体１へ搬送するための合流パス３０ｅが形成されている。
【００１５】
よって、給紙パス３０ｄ又は合流パス３０ｅにおいてジャムしたシートＳの処理は、まず、サイドデッキ２をスライドさせ、次に扉３０を開放することにより容易に行え、処理後は扉３０を閉め、サイドデッキ２を元の位置までスライドさせることにより通紙状態に容易に復帰させることができる。
【００１６】
【発明が解決しようとする課題】
しかしながら、上記従来の画像形成装置におけるジャム処理手順においては、装置を通紙状態に復帰させる場合に、まず扉を閉め、次にサイドデッキ等の給紙装置を例えばスライド等の移動を行って装着するという動作が必要になる。
【００１７】
この場合、例えば、ユーザが誤って扉を閉め忘れた状態で給紙装置を移動させてしまうと、扉が給紙装置の下ガイド等に引っ掛かり、操作感を低下させたり、扉や開放ガイドの変形、破損を招くといった恐れがあった。
【００１８】
一方、操作性を改善させるために給紙装置の移動動作と扉の開閉動作を連動させようとすると、複雑なリンク機構が必要となり、装置の複雑化や大型化を招くという恐れがあった。
【００１９】
さらに、連動機構を設けると、ガイド対の開放口を扉で塞ぐ可能性が有り、給紙装置の収納庫から画像形成装置に到る間のパスでジャムしたシートのジャム処理性を著しく低下させる恐れがあった。
【００２０】
本発明は上記問題点に鑑みなされたものであって、画像形成装置本体に設けられた扉の開閉を円滑に行い、扉の破損を防止して、操作性を向上させることが可能な給紙装置及び画像形成装置を提供することを目的とする。
【００２１】
【課題を解決するための手段】
上記目的を達成するために、本発明に係る給紙装置は、シート材に画像を形成する画像形成装置本体に着脱自在な給紙装置であって、前記画像形成装置本体に装着される際に、前記画像形成装置本体に設けられた扉を押圧して閉状態にするための押圧手段を備え、前記押圧手段が、前記給紙装置側から前記画像形成装置本体側に向かい、かつ、下方から上方に向かう面部を有し、前記給紙装置を前記画像形成装置本体に装着する際に、前記扉が、前記面部を摺動して閉状態となる。
【００２２】
また、前記給紙装置に格納された前記シート材を前記画像形成装置本体に導くための、固定支持された上方ガイドと、回動自在に支持された下方ガイドとからなるガイド手段を備え、前記給紙装置が前記画像形成装置本体に装着されている場合は、前記下方ガイドが回動し、前記上方ガイドに接近することにより前記ガイド手段が通紙状態になり、前記給紙装置が前記画像形成装置本体から脱着されている場合は、前記下方ガイドが回動し、前記上方ガイドから離れることにより前記ガイド手段が開放状態になることを特徴とする。
【００２３】
ここでは、上記ガイド手段は、上方ガイド及び下方ガイドとで構成しているが、ガイドの位置関係は上下の場合に限定されるものではなく、その位置関係は適宜な位置関係であって良く、例えばガイドが前後に形成されてガイド手段を構成しているような場合であっても良い。
【００２４】
また、前記押圧手段が、前記下方ガイドに設けられていることを特徴とする。
【００２５】
また、前記給紙装置を前記画像形成装置本体に装着する際に、前記ガイド手段を構成する前記下方ガイドに前記扉が当接することにより、前記下方ガイドが回動し、該下方ガイドが前記上方ガイドに接近することにより前記ガイド手段が通紙状態になることを特徴とする。
【００２６】
また、前記扉が、前記画像形成装置本体の側面に形成されている軸であって、前記画像形成装置本体に対する前記給紙装置の着脱方向に略垂直な方向、かつ、水平方向に略平行な方向の軸を中心に回動することにより開閉を行うことを特徴とする。
【００２７】
また、前記押圧手段が押圧する前記扉が、前記閉状態となっている際に、前記画像形成装置本体に設けられた給紙手段から給紙されるシート材を搬送するための搬送路の少なくとも一部を形成していることを特徴とする。
【００２９】
さらに、本発明に係る画像形成装置は、上記給紙装置から給紙されたシート材に画像を形成する画像形成手段を備えることを特徴とする。
【００３０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３１】
（第１の実施形態）
まず、本発明に係る給紙装置の第１の実施形態について図１を参照して説明する。図１に、本発明に係る給紙装置の第１の実施形態としてのサイドデッキを画像形成装置本体に装着した際の断面図を示す。ただし、図１において、前述の図１０及び図１１に示される部材と同様の部材には同じ符号を付す。
【００３２】
図１では、本発明に係る給紙装置としてサイドデッキ２が示されている。また、図１は、給紙装置としてサイドデッキ２が本発明に係るシート材としてのシートＳを通紙させる通紙状態の断面図である。
【００３３】
画像形成装置本体１は、平行に配置された４つの画像形成媒体である感光体ドラム３ａ（イエロー）、３ｂ（マゼンタ）、３ｃ（シアン）及び３ｄ（ブラック）と、これら感光体ドラム３ａ〜３ｄの下部に縦断する態様で配置された転写搬送ベルト４を備える。
【００３４】
不図示の超音波モータにより駆動される感光体ドラム３ａ〜３ｄは、帯電器５ａ〜５ｄにより均一に帯電された後、ＬＥＤ等で構成される露光装置６ａ〜６ｄにより、それぞれ色分解されたイエロー、マゼンタ、シアン、ブラックの各色の光像が露光され、潜像が形成される。
【００３５】
次に、それぞれの潜像が現像器７ａ〜７ｄにより現像され、感光体ドラム３ａ〜３ｄ上にイエロー、マゼンタ、シアン、ブラックのトナー像が順次形成される。
【００３６】
本発明に係るシート材としてのシートＳは、カセット８ａ〜８ｄ又はサイドデッキ２の収納庫８ｅに収納されている。
【００３７】
カセット８ａ〜８ｄ及び収納庫８ｅは、図中手前方向に引き出し可能であり、ユーザが不図示のボタンを押すことにより、リンク機構を介して、または、電気信号によりソレノイドに吸引されて不図示のラッチが外れ、不図示の付勢部材により手前側に押し出される構成となっている。
【００３８】
よって、シートＳの補給や、カセット８ａ〜８ｄ及び収納庫８ｅ内でジャムしたシートＳの処理は、カセット８ａ〜８ｄ又は収納庫８ｅを装置手前側に引き出すことにより容易に行え、処理後はカセット８ａ〜８ｄ又は収納庫８ｅを元の位置まで押し込むことにより再びラッチが係止され通紙状態に容易に復帰させることができる。
【００３９】
シートＳは、カセット８ａ〜８ｄ又は収納庫８ｅからピックアップローラ９ａ〜９ｅにより給紙され、搬送ローラ１０ａ〜１０ｅと分離ローラ１１ａ〜１１ｅからなるリタードローラ対で１枚ずつ分離された後に、搬送ローラ１２を経て回転停止しているレジストローラ１３に搬送され斜行状態の矯正が行われる。
【００４０】
画像位置とタイミングを合わせて回転するレジストローラ１３により、シートＳは搬送ガイド１４に案内されて、押えローラ１５と転写搬送ベルト４のニップ位置に搬送される。
【００４１】
押えローラ１５により転写搬送ベルト４に押し付けられたシートＳは、転写搬送ベルト４の回転により、各感光体ドラム３ａ〜３ｄと対向した転写部に順次搬送される。
【００４２】
感光体ドラム３ａ〜３ｄ上の各色のトナー像は、各転写部に配置されトナーと逆極性の電圧を印加された転写ブレード１６ａ〜１６ｄの作用によりシートＳ上に順次重ね合わせて転写される。
【００４３】
４色のトナー像が転写されたシートＳは、転写搬送ベルト４の屈曲部において搬送方向先端から分離され、定着器１７に搬送される。
【００４４】
定着器１７において、熱及び圧力を受けて各色のトナーが溶融混色してシートＳに固定され、フルカラーのプリント画像が定着された後、定着器１７の下流に表けられた排紙ローラ１８によってシートＳは画像形成装置本体１の機外に排紙される。
【００４５】
さて、図１に示すように、画像形成装置本体１の右側面に設けられたサイドデッキ２は、ラッチ１９により画像形成装置本体１に係止されている。
【００４６】
また、図２に示すように、サイドデッキ２に設けられた最下流の、本発明に係る下方ガイドとして下ガイド２０及び本発明に係る上方ガイドとしての上ガイド２１により構成される本発明に係るガイド手段としてのガイド対のうち、下方の下ガイド２０の先端には、サイドデッキ２装着時、画像形成装置壁面３０ａと当接する摺動コロ２２が板バネ２３を介して設けられており、下ガイド２０の下部には本発明に係る押圧手段としてのスロープガイド２４が下ガイド２０と一体に設けられている。ここで、図２に、図１に示されるサイドデッキの一部構造図を示す。
【００４７】
更に、図３に示すように、不図示のレバーを操作することによりラッチ１９を解除すると、サイドデッキ２は水平方向にスライド可能となる。ここで、図３に、本発明に係る給紙装置の第１の実施形態としてのサイドデッキを画像形成装置本体から脱着（スライド）した際の断面図を示す。
【００４８】
給紙装置としてのサイドデッキ２をスライドした時は、前述した摺動コロ２２と画像形成装置壁面３０ａとの当接が外れて、下ガイド２０がその自重により中心軸２０ａを中心に回動し、ガイド対の下流側先端が開放される。
【００４９】
よって、収納庫８ｅから画像形成装置本体１に到る間のパスでジャムしたシートＳの処理は、サイドデッキ２をスライドさせることによりガイド対の開放口から容易に行える。
【００５０】
ジャム処理後、サイドデッキ２を元の位置までスライドして戻すと、前述した摺動コロ２２が画像形成装置壁面３０ａに再び当接し、下ガイド２０がその自重に抗して持ち上げられるとともに前述したラッチ１９が係止され、再び通紙状態（図１の状態）に容易に復帰させることができる。
【００５１】
また、図１、図３に示すように、サイドデッキ２の装着面である画像形成装置本体１の右側面には本発明に係る扉としての扉３０が設けられている。
【００５２】
扉３０は、その下端に本発明に係る軸としての回動中心軸３０ｂが設けられ、上端に扉３０を画像形成装置本体１に係止するためのラッチ３０ｃが設けられている。
【００５３】
ラッチ３０ｃは把手形状を有しており、ユーザがラッチを回動操作することにより扉３０の開閉を行うことができる。
【００５４】
扉３０には、画像形成装置本体１内のカセット８ａ〜８ｄから給紙されたシートＳを画像形成部に搬送するための本発明に係る搬送路を構成する給紙パス３０ｄと、サイドデッキ２から給紙されたシートＳを画像形成装置本体１へ搬送するための本発明に係る搬送路を構成する合流パス３０ｅとが形成されている。
【００５５】
よって、給紙パス３０ｄ又は合流パス３０ｅにおいてジャムしたシートＳの処理は、まず、サイドデッキ２をスライドさせ、次に扉３０を図３の破線で示す位置まで開放することにより容易に行え、処理後は扉３０を閉め、サイドデッキ２を元の位置までスライドさせることにより容易に復帰させることができる。
【００５６】
ここで、前述したように、サイドデッキ２の下ガイド２０には、スロープガイド２４が一体に設けられている。
【００５７】
このスロープガイド２４は画像形成装置本体１の扉３０が開けられた状態で、サイドデッキ２を装着方向にスライドさせた時に、扉３０と当接して扉３０を閉状態付近までスムーズに押し戻す役割を果たす。
【００５８】
以下にスロープガイド２４の動作について、図４から図８を用いて説明を行う。図４、図５、図６、図７及び図８に、図１に示されるスロープガイドの動作概略図を示す。
【００５９】
図４に示すように、図３の状態からサイドデッを装着方向ヘスライドさせると、扉の先端３０ｆがスロープガイド２４における、本発明に係る面部としての一側面に当接し、当接点ではスライド力Ｆの分力Ｆａとその反作用力Ｆｂが生じる。
【００６０】
分力Ｆａは、扉３０を開く方向に作用するが、扉３０はストッパ３１により開き角度が規制されているため回動しない。
【００６１】
反作用力Ｆｂは、下ガイド２０を閉じる方向に作用し、下ガイド２０は矢印Ｂ方向に回動し始める。
【００６２】
更にサイドデッキ２をスライドさせ、図５に示す位置まで下ガイド２０が閉じると、分力Ｆａは、扉３０を閉じる方向に作用するようになり、扉３０の矢印Ａ方向の回動が始まる。
【００６３】
更にスライドさせると、図６に示すように、下ガイド２０の通紙範囲外に設けられた突き当て２０ｂが上ガイド２１に突き当たり下ガイド２０の回動がストップする。
【００６４】
一方、扉３０は更に矢印Ａ方向に回動を続け、扉側面３０ｇがスロープガイド２４の先端と当接して摺動し始める。
【００６５】
更にスライドさせると、扉３０は図７に示すように扉側面３０ｇがサイドデッキ２の上部外装部２ａと当接して摺動し始め、その後スロープガイド２４との当接は外れ、下ガイド２０は再び自重で開放された位置に戻る。
【００６６】
更にスライドさせると、図８に示すように上部外装部２ａと扉３０の当接が外れ、代わりに下ガイド２０の先端に設けられた摺動コロ２２が画像形成装置壁面３０ａに当接して摺動し始める。
【００６７】
当接部における反力Ｆｂにより、下ガイド２０は突き当て２０ｂが上ガイド２１に突き当たる通紙位置まで再び持ち上げられ、下ガイド２０の回動がストップした後のスライド量は、摺動コロ２２を支持する板バネ２３の変形により吸収される。
【００６８】
板バネ２３の変形により発生する付勢力により、扉３０はラッチ３０ｃが係止する位置まで押し込まれ、画像形成装置本体１に装着される。
【００６９】
また、この付勢力により、下ガイド２０の突き当て２０ｂは常に隙間なく上ガイド２１に突き当たり、規定のガイドギャップ量が保持可能となり、通紙性能が安定する。
【００７０】
最後に、サイドデッキ２のラッチ１９が画像形成装置本体１に係止されるとスライドが終了し、画像形成装置本体１は通紙状態（図１の状態）に復帰する。
【００７１】
以上の構成により、本発明に係る給紙装置の第１の実施形態としてのサイドデッキ２においては、扉３０が開いた状態でサイドデッキ２を装着方向ヘスライドさせた場合であっても、スロープガイド２４の作用により、扉３０の装着動作及びサイドデッキ２の装着動作をスムーズに行え、装置を通紙状態に容易に復帰させることが可能となる。
【００７２】
なお、本実施形態における扉３０開き角度は約４０°、下ガイド２０の開き角度約２０°であり、ジャム処理性及び装着性を考慮すると、実用的には１５°〜６０°の範囲であることが望ましい。
【００７３】
したがって、本発明に係る給紙装置の第１の実施形態としてのサイドデッキ２では、画像形成装置本体１に設けられた扉３０がたとえ開状態であっても、サイドデッキ２を装着する際に、スロープガイド２４が扉３０を押圧して閉状態とするので、ユーザの誤操作による扉３０の破損や、装置の大型化及び複雑化等を招くことなく、サイドデッキ２の操作性を向上させることができる。
【００７４】
また、サイドデッキ２の装着状態に応じて通紙状態及び開放状態が変化する下ガイド２０と上ガイド２１とからなるガイド対を備えているため、サイドデッキ２を画像形成装置本体１から脱着すれば、サイドデッキ２におけるジャムを容易に処理することができ、ユーザの利便性をさらに向上させることができる。
【００７５】
また、スロープガイド２４が下ガイド２０に設けられているため、装置の大型化をさらに回避することができる。
【００７６】
また、回動自在に設けられた下ガイド２０に扉３０が当接することにより、下ガイド２０が通紙状態となるため、さらに装置の操作性を向上させることができる。
【００７７】
また、扉３０が画像形成装置本体１の側面に形成されている軸であって、画像形成装置本体１に対するサイドデッキ２の着脱方向に略垂直な方向、かつ、水平方向に略平行な方向の回動中心軸３０ｂを中心に回動することから、扉３０の開閉動作を容易にすることができ、装置の複雑化を防止することができる。
【００７８】
また、スロープガイド２４が押圧する扉３０が画像形成装置本体１においてシート材の搬送路の少なくとも一部を形成しているため、画像形成装置本体１においてシート材のジャムが発生した場合であっても、扉３０を開けることによって容易にこれを処理することができ、さらに操作性を向上させることができる。
【００７９】
また、スロープガイド２４が、サイドデッキ２側から画像形成装置本体１側に向かい、かつ、下方から上方に向かう面部を備え、サイドデッキ２を画像形成装置本体１に装着する際に、扉３０が、面部上を摺動して閉状態となることから、さらにサイドデッキ２を画像形成装置本体１に装着する際の扉の閉状態への移行を容易にすることができる。
【００８０】
このように、第１の実施形態では、扉３０と当接し、扉３０の閉動作を促すためのスロープガイド２４を開放される下ガイド２０に一体に設けるという簡易な構成により、扉３０を開けたままサイドデッキ２をスライド装着した場合であっても、扉３０と下ガイド２０が引っ掛かることなくスムーズな装置の復帰を可能にする。
【００８１】
（第２の実施形態）
次に、本発明に係る給紙装置の第２の実施形態について図９を参照して説明する。図９に、本発明に係る給紙装置の第２の実施形態としてのサイドデッキの一部構造図を示す。図９に示される部材のうち、前述の図１から図８に示される部材と同様の部材には同じ符号を付す。
【００８２】
上述の第１の実施形態では、スロープガイド２４を下ガイド２０と一体としたが本発明はこれに限定されるものではない。
【００８３】
例えば、図９に示すように、本発明に係る下方ガイドとしての下ガイド２０とは別体に、下ガイド２０の下方位置に、サイドデッキ２のフレーム２６に対して回転中心２７ａを持つ本発明に係る押圧手段としてのスロープガイド２７を設けることによっても同様の効果が得られる。
【００８４】
この場合、扉３０の反作用力がスロープガイド２７及びフレーム２６のみに加わり、下ガイド２０に余計なストレスが加わらなくて済むため、下ガイド２０の変形防止のための剛性アップ等をする必要がなくなり、通紙ガイド形状がより簡易化できるというメリットがある。
【００８５】
このように、第２の実施形態では、前述の第１の実施形態と同様の効果を得ることができると共に、扉３０と当接し、扉３０の閉動作を促すための回動するスロープガイド２７を開放される下ガイド２０とは別体に、下ガイド２０の下部にサイドデッキ２のフレームに対して設けるという簡易な構成により、扉３０を開けたままサイドデッキ２をスライド装着した場合であっても、扉３０と下ガイド２０が引っ掛かることなくスムーズな装置の復帰を可能にさせる。
【００８６】
（画像形成装置の実施形態）
次に本発明に係る画像形成装置の実施形態について説明する。本発明に係る画像形成装置の実施形態は、上記本発明に係る給紙装置の第１の実施形態、若しくは第２の実施形態を具備した実施形態である。
【００８７】
すなわち、上記第１の実施形態、若しくは第２の実施形態として示された給紙装置により給紙されたシート材に画像形成を行なう画像形成手段を備える画像形成装置である。また、本発明に係る画像形成装置の実施形態が適用される装置としては、プリンタ、ＦＡＸ、複写機等を挙げることができる。
【００８８】
つまり、本発明に係る画像形成装置の一実施形態を複写機に適用した際の断面図としては、例えば前述の図１を例に挙げることができる。
【００８９】
画像形成手段としては、電子写真方式の画像形成手段や、インクジェット式の画像形成手段や、バブルジェット式の画像形成手段等が適用できるが、これらに限定されるものではなくその他適宜な画像形成手段を適用することができる。
【００９０】
したがって、本発明に係る画像形成装置の実施形態においては、前述の本発明に係る給紙装置の第１の実施形態及び第２の実施形態と同様の効果を得ることができる。
【００９１】
【発明の効果】
以上説明したように、本発明によれば、開放された扉に当接し、扉を閉じる方向の力を発生させる押圧手段を設けるという簡易な構成により、扉の開閉状態に関わらず、給紙装置を装着させるという動作により、扉及び給紙装置の装着をスムーズに行うことが可能となるため、扉やガイドの変形、破損、装置の複雑化、大型化を招く恐れがなく、ユーザのジャム処理操作性を格段に向上させることが可能な給紙装置及び画像形成装置を提供することができる。
【図面の簡単な説明】
【図１】本発明に係る給紙装置の第１の実施形態としてのサイドデッキを画像形成装置本体に装着した際の断面図である。
【図２】図１に示されるサイドデッキの一部構造図である。
【図３】本発明に係る給紙装置の第１の実施形態としてのサイドデッキを画像形成装置本体から脱着（スライド）した際の断面図である。
【図４】図１に示されるスロープガイドの動作概略図である。
【図５】図１に示されるスロープガイドの動作概略図である。
【図６】図１に示されるスロープガイドの動作概略図である。
【図７】図１に示されるスロープガイドの動作概略図である。
【図８】図１に示されるスロープガイドの動作概略図である。
【図９】本発明に係る給紙装置の第２の実施形態としてのサイドデッキの一部構造図である。
【図１０】従来の給紙装置としての大容量シート収納装置が装着された画像形成装置の断面図である。
【図１１】サイドデッキを引き出した場合の図１０に示される画像形成装置の断面図である。
【符号の説明】
１  画像形成装置本体
２  サイドデッキ
２ａ  上方外装部
３ａ，３ｂ，３ｃ，３ｄ  感光体ドラム
４  転写搬送ベルト
５ａ，５ｂ，５ｃ，５ｄ  帯電器
６ａ，６ｂ，６ｃ，６ｄ  露光装置
７ａ，７ｂ，７ｃ，７ｄ  現像器
８ａ，８ｂ，８ｃ，８ｄ  カセット
８ｅ  収納庫
９ａ，９ｂ，９ｃ，９ｄ，９ｅ  ピックアップローラ
１０ａ，１０ｂ，１０ｃ，１０ｄ，１０ｅ  搬送ローラ
１１ａ，１１ｂ，１１ｃ，１１ｄ，１１ｅ  分離ローラ
１２  搬送ローラ
１３  レジストローラ
１４  搬送ガイド
１５  押えローラ
１６ａ，１６ｂ，１６ｃ，１６ｄ  転写ブレード
１７  定着器
１８  排紙ローラ
１９  ラッチ
２０  下ガイド
２０ｂ  突き当て
２１  上ガイド
２２  摺動コロ
２３  板バネ
２４  スロープガイド
２６  フレーム
２７  スロープガイド
２７ａ  回転中心
３０  扉
３０ａ  画像形成装置壁面
３０ｂ  回動中心軸
３０ｃ  ラッチ
３０ｄ  給紙パス
３０ｅ  合流パス
３０ｆ  先端
３０ｇ  扉側面
３１  ストッパ
Ｓ  シート
【図１】
0003581611.tif 000002
【図２】
0003581611.tif 000003
【図３】
0003581611.tif 000004
【図４】
0003581611.tif 000005
【図５】
0003581611.tif 000006
【図６】
0003581611.tif 000007
【図７】
0003581611.tif 000008
【図８】
0003581611.tif 000009
【図９】
0003581611.tif 000010
【図１０】
0003581611.tif 000011
【図１１】
0003581611.tif 000012